(57)【要約】      （修正有）【課題】立体的な動物模型を容易に工作でき、その形作った各形成部を保形維持させることができる立体動物模型形成用皮革シート材及びこれを利用した立体動物模型を提供する。【解決手段】三次元の立体状に形作ることで動物の各部位を形成する胴部形成部２、頭部形成部３、頸部形成部４、四肢部形成部５、尾部形成部６、耳部形成部７、口部形成部８その他を裁断分離線１０によって分離可能に区画形成し、肉厚が１．３〜１．５ｍｍの馬のヌメ皮によって平面状に展開した皮革シート材１を形成する。各形成部２，…は、水分を含ませた後に丸め、伸ばし、折り曲げて立体的に形作って所定の動物の外形に対応して構成できるようにしてあり、また、各形成部２，…、裁断分離線１０はＣＡＤ／ＣＡＭによる所定の切断刃の走行によって展開した外郭形状に切り抜き裁断して形成する。【選択図】図１
0003182814.tif 000002
【実用新案登録請求の範囲】
【請求項１】
三次元の立体状に形作られることで、少なくとも動物の胴部、頭部、四肢部その他となる各形成部のうちから形作る動物に対応して選択されて一連に繋げられ、また一体状にされた形態での平面展開の外郭形状を備えた皮革シート材にて成ることを特徴とする立体動物模型形成用皮革シート材。
【請求項２】
各形成部は、少なくとも動物における胴部となる胴部形成部、頭部となる頭部形成部、頸部となる頸部形成部、前足・手・後足等の四肢部となる四肢部形成部、尾となる尾部形成部、耳となる耳部形成部、口顎となる口部形成部のうちから、選択されて一連に繋げられ、また一体状にされた形態での平面展開の外郭形状を備えた皮革シート材にて成る請求項１に記載の立体動物模型形成用皮革シート材。
【請求項３】
各形成部は、皮革シート材において切込状に切り入れられた裁断分離線によって分離可能に区画されて成る請求項１または２に記載の立体動物模型形成用皮革シート材。
【請求項４】
皮革シート材は、その各形成部、裁断分離線がＣＡＤ／ＣＡＭによる所定の切断刃の走行によって切り抜き裁断されることで形成される請求項１乃至３のいずれかに記載の立体動物模型形成用皮革シート材。
【請求項５】
立体状に形作られるときの各形成部は、水分が含ませられた後に丸められ、伸ばされ、折り曲げられるものとしてある請求項１乃至４のいずれかに記載の立体動物模型形成用皮革シート材。
【請求項６】
皮革シート材は、立体的に形作られる所定の動物の外形に対応して平面状に展開されている請求項１乃至５のいずれかに記載の立体動物模型形成用皮革シート材。
【請求項７】
皮革シート材は、肉厚が１．３〜１．５ｍｍの馬のヌメ皮によって構成してある請求項１乃至６のいずれかに記載の立体動物模型形成用皮革シート材。
【請求項８】
少なくとも動物における胴部となる胴部形成部、頭部となる頭部形成部、頸部となる頸部形成部、前足・手・後足等の四肢部となる四肢部形成部、尾となる尾部形成部、耳となる耳部形成部、口顎となる口部形成部のうちから、形作る動物に対応して選択されて一連に繋げられ、また一体状にされた形態での平面展開の外郭形状を備えると共に、肉厚が１．３〜１．５ｍｍの馬のスメ皮を素材とした皮革シート材に、水分を含ませた後に各形成部を丸め、伸ばし、折り曲げることで所定の動物を模した立体模型を形成して成ることを特徴とする立体動物模型。
【考案の詳細な説明】
【技術分野】
【０００１】
この考案は、立体動物模型を形作ることができるように、所定肉厚の皮革材によって平面的に展開された所定の形象に形取られた外郭形状に切り抜き裁断され、また動物の各部位を形成するよう予め切り入れられている裁断分離線を備えていて、含ませた水分によって得られる展延性を利用して部分的に延ばされることで、また各部が丸められること等で、立体的、写実的な動物模型を形成できるようにした立体動物模型形成用皮革シート材及びこれを利用した立体動物模型に関する。
【背景技術】
【０００２】
従来から、各種の動物を模した立体的な動物模型を組み立てるための工作物・部材等が提供されており、その組立、工作が可能となるように工作物等としての動物模型を動物それぞれの形象・形態等に対応させるべく様々な素材、資材その他が使用されている。例えば縫いぐるみ風とさせるように詰め物が充填される袋状とした布材、骨格模型となるよう動物姿態を適宜間隔で輪切りにして互いに連結されるようにした外観形態の板材、動物模様が描画表示されていて適宜な折込で立体状に組み合わせられる紙材等である。
【０００３】
特に平面的なシート材料を素材とし、これを折込ながら立体的な動物模型として組み立てることは、二次元平面を三次元立体とする変化を楽しむことができ、その工作過程に工夫を施すことでより一層の興趣性を実現し、またそれを得ることができる。こうした点から従来、例えば型抜きおもちゃに係る特許文献１、人形等の形象体に係る特許文献２、立体動物細工物が作製可能な封筒及び立体動物細工物等が提案されている。特許文献１の型抜きおもちゃは、対状の軽量発砲合成樹脂板相互間の内部にて型抜きされた複数の対象物の図柄部分を有し、軽量発砲合成樹脂板の一方の面が平坦であるようにして成る。特許文献２の人形等の形象体は、薄い銅板からなるベース部材をエッチング又は打抜きによって骨格を芯材とするエラストマー樹脂のインサート成形によって形象体を得ることで、屈曲等が可能な骨格によって所望のポーズを維持できるようにして成る。特許文献３の封筒・細工物は、封筒の表面・裏面にウサギを簡易的に表現した図柄となるよう、頭部、首部、胴部、前足部、後足部をつなげて切取線によって封筒の辺部で線対称となるように表し、後足部は封筒の幅方向で輪状に切り取るようにして成る。
【先行技術文献】
【特許文献】
【０００４】
【特許文献１】登録実用新案第３０６８５６９号公報
【特許文献２】登録実用新案第３０７３９５４号公報
【特許文献３】特開２００４−３４５６７２号公報
【考案の概要】
【考案が解決しようとする課題】
【０００５】
ところが従来の特許文献１による型抜きおもちゃでは、壁等に貼り付けて遊ぶことができるとする軽量性を考慮したにすぎないから、動物を模したとしても立体性に乏しいばかりでなく、その工作過程を楽しむことはできない。特許文献２による形象体では、内部で芯材となる銅板による屈曲自在性が得られることで様々な姿態に変化できても、屈曲が繰り返されることで内部芯材がエラストマー樹脂から突出すれば、その鋼板によって手指を損傷させる危険性がある。特許文献３による封筒・細工物では、封筒のような紙製品を安易に廃棄せずに済む省資源の観点からは好ましくても、封筒に表現された切抜線に沿う切り抜きによって所定の姿態による動物形象物が得られても、複雑な形象・姿態とはならず、写実性、興趣性に乏しい。
【０００６】
そこでこの考案は上述したような従来存した諸事情に鑑み案出されたもので、その目的は、所定肉厚の皮革材を素材とし、組み立て後に動物の例えば頭部、四肢部等となる部位を例えば胴部部位から裁断分離線にて区画させて、平面的な展開形状の所定の外郭形状に切り抜き裁断して用意しておくことで、工作時には水分を含ませることによって得られる展延性を利用して皮革材自体の一部でも伸ばしながら、また丸めたり、折り曲げたりすること等で立体的に形作り、所定の立体的な動物模型を写実性あるものとして工作でき、しかもその形作った部位の乾燥等によって保形維持させることも可能であり、また童幼児でも容易に形作ることができるようにした立体動物模型形成用皮革シート材及びこれを利用した立体動物模型を提供することにある。
【課題を解決するための手段】
【０００７】
上述した課題を解決するため、この考案にあっては、後述する考案を実施するための形態における使用符号を付記して説明すると、立体動物模型形成用皮革シート材に係る第１の考案は、三次元の立体状に形作られることで、少なくとも動物の胴部、頭部、四肢部その他となる各形成部２，…のうちから形作る動物に対応して選択されて一連に繋げられ、また一体状にされた形態での平面展開の外郭形状を備えた皮革シート材１にて成ることを特徴とする。
より、具体的には、各形成部２，…は、少なくとも動物における胴部となる胴部形成部２、頭部となる頭部形成部３、頸部となる頸部形成部４、前足・手・後足等の四肢部となる四肢部形成部５、尾となる尾部形成部６、耳となる耳部形成部７、口顎となる口部形成部８のうちから選択されて一連に繋げられ、また一体状にされた形態での平面展開の外郭形状を備えた皮革シート材１にて成ることを特徴とする。
各形成部２，…は、皮革シート材１において切込状に切り入れられた裁断分離線１０によって分離可能に区画されてなるものとして構成することができる。
皮革シート材１は、その各形成部２，…、裁断分離線１０がＣＡＤ／ＣＡＭによる所定の切断刃の走行によって切り抜き裁断されることで形成されるものとして構成することができる。
立体状に形作られるときの各形成部２，…は、水分が含ませられた後に丸められ、伸ばされ、折り曲げられるものとして構成することができる。
皮革シート材１は、立体的に形作られる所定の動物の外形に対応して平面状に展開されているものとして構成することができる。
皮革シート材１は、肉厚が１．３〜１．５ｍｍの馬のヌメ皮によって構成することができる。
また、形作られた皮革シート材製の立体動物模型に係る第２の考案は、少なくとも動物における胴部となる胴部形成部２、頭部となる頭部形成部３、頸部となる頸部形成部４、前足・手・後足等の四肢部となる四肢部形成部５、尾となる尾部形成部６、耳となる耳部形成部７、口顎となる口部形成部８のうちから、形作る動物に対応して選択されて一連に繋げられ、また一体状にされた形態での平面展開の外郭形状を備えると共に、肉厚が１．３〜１．５ｍｍの馬のヌメ皮を素材とし皮革シート材１に、水分を含ませた後に各形成部２，…を丸め、伸ばし、折り曲げることで所定の動物を模した立体模型を形成して成ることを特徴とする。
【０００８】
以上のように構成されたこの考案に係る立体動物模型形成用皮革シート材及びこれを利用した立体動物模型にあって、水分が含ませられて丸められ、伸ばされ、折り曲げられる皮革シート材１は、裁断分離線１０によって分離区画された胴部形成部２、頭部形成部３、頸部形成部４、四肢部形成部５、尾部形成部６、耳部形成部７、口部形成部８その他によってこれらの各形成部２，…に対応した動物の胴部その他の各部位を形作り、立体動物模型として完成させる。
皮革シート材１は、水分が含ませられることで、その展延性を十分なものとさせ、同一の動物でも、その姿態を様々に変化させられ、一旦完成後でも再度の丸め、伸ばし、折り曲げ等によって異なる姿態への変更を可能としており、一層興趣性あるものとさせ、含ませた水分の乾燥後は形作られたままの立体形を維持させる。
肉厚が１．３〜１．５ｍｍの馬のヌメ皮製の皮革シート材１は、手触りが良好であり、工作者の手指によっての丸め、伸ばし、折り曲げ等を容易にさせ、完成された立体動物模型を一層写実性あるものとさせる。
【考案の効果】
【０００９】
この考案は以上説明したように構成されているため、所定肉厚の皮革材を素材とし、組み立て後に動物の例えば頭部、四肢部等となる各形成部２，…を裁断分離線１０にて区画させて、平面的な展開形状を呈する所定の外郭形状に切り抜き裁断して得た皮革シート材１を形成しておくのであり、これによって、この皮革シート材１に対して工作時には水分を含ませることで得られる展延性を利用し、皮革シート材１自体の一部でも伸ばしながら、また丸めたり、折り曲げたりすること等で立体的な動物模型を形作ることができる。また、所定の動物となるよう形作るとき、その伸ばし、丸め、折り曲げ等の細工は手指の指先、指腹のみで可能であり、特別な工作用の各種道具類は不要であるから、手軽にしかも簡単に工作できる。しかもその形作った各部は、含ませた水分の乾燥によって形作られた形態そのまま保形維持されるから、所定の立体的な動物模型を写実性あるものとして工作できる。完成された立体動物模型は、皮革材を素材とする皮革シート材１を基本的素材としているから、そのままで装飾品として飾ることもできるばかりでなく、童幼児でも容易に工作でき、その手指感覚を鋭敏にし、更には高齢者でも簡単に組立可能であることで、リハビリテーション用の資材として利用もできる。
【００１０】
すなわちこれは、この考案において、少なくとも動物における所定の各部位となる胴部形成部２、頭部形成部３、頸部形成部４、四肢部形成部５、尾部形成部６、耳部形成部７、口部形成部８からの幾つかを、形作る動物に対応して選択して一連に繋げ、また一体状にした形態での平面展開の外郭形状を備えた皮革シート材１にて成るからである。こうすることで、動物における各部の外観形状、それらの異なる姿態への選択的な形状加工、成型後の保形性の維持等によって、写実性ある立体動物模型を構成できる。
【００１１】
また、これらの各形成部２，…は、皮革シート材１自体に切り入れられた裁断分離線１０によって分離可能に区画されてなるから、１枚の素材から切り抜き形成される皮革シート材１において例えば胴部からの頭部、頸部、四肢部その他の各部位を胴部に繋げた状態で形作ることができ、また、これらの各形成部２，…は立体を形作る１枚の皮革シート材１として纏めておくことができる。
【００１２】
皮革シート材１は、肉厚が１．３〜１．５ｍｍの馬のヌメ皮によって形成してあることで、水分を含ませた後での伸ばし、丸め、折り曲げ、しごきその他の加工を手指の指先、指腹等によって簡単に行うことができ、しかも、この皮革シート材１は、ＣＡＤ／ＣＡＭによる所定の切断刃の走行によって切り抜き裁断されることで形成されるから、動物の外観・外形における例えばたてがみ、房等のいわば細かい部位をも皮革シート材１上に形成でき、形作るときには一層の写実性ある動物の立体模型を形成できる。
【００１３】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１４】
【図１】この考案を実施するための一形態を示す工作過程を説明するためのもので、その（Ａ）は所定の動物模型、例えばキリンとなるよう展開された一例における外郭形状で用意されたこの考案に係る皮革シート材自体の平面図、（Ｂ）は水を含ませるよう水に浸積させたときの断面図、（Ｃ）は水分を絞るときの斜視図、（Ｄ）は例えば頸部を折り曲げ成形しているときの斜視図、（Ｅ）は胴部等を膨らみ状に伸ばしているときの斜視図、（Ｆ）は四肢部を丸めて形成しているときの斜視図、（Ｇ）は完成品の一例における斜視図である。
【図２】同じくキリンとして形作られた完成品の斜視写真である。
【図３】同じく例えば象として形作ることができるこの考案に係る皮革シート材の平面図である。
【図４】同じく例えばライオンとして形作ることができるこの考案に係る皮革シート材の平面図である。
【考案を実施するための形態】
【００１５】
以下、図面を参照してこの考案を実施するための一形態を説明すると、図において示される符号１は、立体的な動物模型として細工・工作されるこの考案に係るシート状の皮革材製の皮革シート材であり、工作者の手指等によって引き伸ばされるよう展延され、また丸められたり、折り曲げられたり、しごかれたりすることで所定の各種動物の外観が呈されるものとして、平面として展開された外郭形状で裁断形成されている。すなわち、所定の動物における例えば胴部となる胴部形成部２、頭部となる頭部形成部３、頸部となる頸部形成部４、前足・手・後足等の四肢部となる四肢部形成部５その他となる各形成部を一連に繋げ、一体状にした形態での平面展開の外郭形状を備えて成り、例えば胴部形成部２を中心として、各部分が独立して形作られるように適宜な線形状による裁断分離線１０によって、例えば頭部形成部３、頸部形成部４、四肢部形成部５その他がそれらの外形に対応する外郭に沿って区画されて成る。
【００１６】
皮革シート材１自体は、例えば良質な馬のヌメ革（ヌメ皮）を素材とし、その肉厚は例えば１．０〜２．０ｍｍ程度、より好もしくは１．３〜１．５ｍｍ、特に１．４ｍｍ程度の肉厚とすることで形成されており、この１．４ｍｍの肉厚の馬のヌメ革を素材とすることで手指による細工・工作が容易となり、また完成後の保形性を維持できるようになる。このような素材となる皮革材自体は、形作る動物における体色に対応していることが望ましく、必要があればその模様も形成表示する。もとより、後述するように水分を含有させての展延性、展延による形作り、折り曲げ、丸めその他の細工方法による成形が容易となり、その成形後での保形性が維持できるのであれば、その素材の種別、肉厚等は上記例に限定されない。
【００１７】
また、立体的に成形細工される動物模型は、その完成後で横幅、前後長さ、高さは例えば６０ｍｍ内外、場合によっては１００ｍｍ内外の大きさとなるようにしてあり、動物によっては、犬・猫等の比較的に小型の動物であれば例えば約６０ｍｍ×４０ｍｍ程度とし、馬、ひつじ、牛等の中型の動物であれば例えば約８０〜１００ｍｍ×４０〜７０ｍｍ程度とし、象、キリン、サイ等の比較的に大型の動物であれば例えば約９０ｍｍ×４０〜６０ｍｍ程度とし、ワニ、蛇等の長型の動物であれば例えば約１４０ｍｍ×３０ｍｍ程度とする。尚、これらの完成された後の動物模型としての大きさはこれらに限定されないことは勿論であり、実際上の各動物間の大きさの相違による比率で、皮革シート材１が形成されるとは限らない。
【００１８】
尚、このような大きさとするのは、工作者の手指によって容易に、かつ簡単に形作ることができるようにすることを想定しているからであり、また完成後の装飾品としての自立性、更にはいわばジオラマ的に背景物と共に飾るときのコンパクト性を考慮しているからである。もとより、立体的に形作ったときに上記のような大きさ以下あるいは以上のものとなるようにしても差し障りはない。
【００１９】
動物模型として立体的に形作るときの動物によっては１個のシート材（１）に様々な加工を施す必要がある程度に対応した難易性があるものとでき、また複数個のシート材（１）を組み合わせることで１個の動物模型とすることもできる。
【００２０】
また、皮革シート材１は、素材となる原反皮革材から、ＣＡＤ／ＣＡＭの制御によって皮革材を裁断する皮裁断機における超鋼刃製の所定の切断刃の走行によって切り抜き裁断されることで形成されるものとなっている。この切り抜き裁断時に、展開される外郭形状による原反皮革材からの切り抜き分離、裁断分離線１０の形成、更には各動物に対応した眼、爪、襞、体部模様その他が例えば箔押し的な押圧加工等で同時に形成されるようにしている。このようなＣＡＤ／ＣＡＭによる型抜機の使用で、型抜き刃を使用した切り抜き加工に比し、細かな形状例えば１ｍｍ未満の間隔による複数の平行した裁断分離線１０の形成を可能にし、これによって例えば所定の動物におけるたてがみ、房状の耳・尾その他の細かな部位を成形実現できる。
【００２１】
裁断分離線１０は、胴部形成部２から連続している頭部形成部３、頸部形成部４、四肢部形成部５等の分離区画のみならず、胴部に連続する尾となるよう胴部形成部２の後部に連続する尾部形成部６、頭部の一部として区画される耳となるよう頭部形成部３内で区画される耳部形成部７、更には同じく頭部の一部として区画され、また開いた状態とする口顎等となるよう頭部形成部３内で形成される口部形成部８、その他を区画形成させている。これらの各形成部６，７，８は、動物の外観形態に対応して動物の種別、更には選択される姿態によって各別に、それらの形状に合わせて形成されるのであり、いずれも任意である。
【００２２】
次に、各種の動物に対応して平面的に展開されている皮革シート材１の幾つかの例を説明すると、図１（Ａ）においてはキリンを形作る場合、図３（Ａ）においては象を形作る場合、図４（Ａ）においてはライオンを形作る場合それぞれでの展開形態を示している。また、これによって形作られた完成品の例として、キリンは図１（Ｆ）及び図２に、象は図３（Ｂ）に、ライオンは図４（Ｂ）にそれぞれ示されている。尚、図中符号９はライオン模型におけるたてがみを形成すべく二つ折り状に重ねられるたてがみ形成部である。
【００２３】
ここで、所定の外郭形状で切り抜き裁断された皮革シート材１によって立体的に形作るときの工作手順の一例を、図１に示されているキリンを形作る場合によって説明すると以下の通りである。キリン模型を形作るものとして、その展開形状で切り抜き裁断されている皮革シート材１が予め用意されており（図１（Ａ）参照）、この皮革シート材１を例えば水中に浸漬した（図１（Ｂ）参照）後に取り出して固く絞ったり（図１（Ｃ）参照）、あるいは水を含ませるよう適当に濡らしたりして、所定量の水分を付与して湿らせる。水分を付与することで皮革材自体を伸ばすことができるのを利用し、胴部形成部２を二つ折りして折り部分が背骨となるようにし、次いで胴部形成部２に繋がっている頸部形成部４を胴部形成部２に対していくらか上向きに折り曲げ（図１（Ｄ）参照）ると共に、この頸部形成部４自体を丸めて頸部とする。また頸部形成部４に繋がっている頭部形成部３を頸部形成部４に対してやや下方に向けて折り曲げ、丸めて頭部とし、この頭部形成部３に区画されている耳部形成部７を上方に折り曲げることで耳部を形成する。一方、胴部形成部２においては、左右部分を裏側から手指の先を宛がいながら丸く膨らまし、左右の縁部相互を突き合わせるよう胴部形成部２全体を丸めて胴部とする。また、胴部形成部２に繋がっている４片の四肢部形成部５それぞれを丸め、前足、後足とする（図１（Ｅ）参照）。こうすることで、丸められた４本の四肢部によって立っているキリン模型の立体的な姿態を形作ることができ（図１（Ｆ）及び図２参照）、形作るに際し、各部位を折り曲げたり、伸ばしたりすることで、例えば胴部形成部２における背骨部分を二つ折り状にすることで背骨部分を強調でき、また頸部形成部４の胴部形成部２に対する起伏角度、四肢部形成部５における四肢部相互の開き角度の調整等で、キリン模型の姿態を異ならしめることもできる。
【００２４】
また、形作り後では、必要があれば、その皮革材の乾燥後で水性クリア剤を塗布したり、吹き付けたりすることで成型後の形を維持できるようにしても良い。
【００２５】
尚、形作るときには、動物それぞれに対応する追加的な加工を施しても良く、例えばワニであればその胴部形成部２の表面に浅い切れ目を入れてウロコ模様を形成したり、狭幅な並列した例えば４条の紐状にした胴部形成部２となして、これを四つ編みすることで蛇模型を形作ることができる。また、一部を折り曲げ状に例えば狭幅間隔の複数本の紐状材を並列させて成る房状のたてがみ形成部９を頭部形成部３部位で接着剤で重ね合わせて接着することでライオンにおけるたてがみを形作ることができる。もとより、形作る動物それぞれに対応して、三次元の立体状に丸めること等でその動物の立体的外形を形成できる二次元的な平面における外郭形状を備えた皮革シート材１とすれば良く、いずれにしても、本実施の形態における上記等の動物例に限定されるものではない。
【符号の説明】
【００２６】
１…皮革シート材                        ２…胴部形成部
３…頭部形成部                          ４…頸部形成部
５…四肢部形成部                        ６…尾部形成部
７…耳部形成部                          ８…口部形成部
９…たてがみ形成部
１０…裁断分離線
【図１】
0003182814.tif 000003
【図３】
0003182814.tif 000004
【図４】
0003182814.tif 000005
【図２】
0003182814.tif 000006